(57)【要約】【課題】ミラーの側縁部を化粧・保護するための飾り縁を利用して、天井から浴室内に引き下ろされる浴室内配管をカバーできるようにしてコストを削減し且つ見栄えを良くすること。【解決手段】浴室１の壁面２に設置されるミラー３の側縁部３ａに沿って上下方向に延びる飾り縁４が配設され、飾り縁４の内側には、上下両端がそれぞれ開口し且つ上端開口部が天井面近傍に位置する配管スペース５が設けられ、天井裏６から浴室１内に引き下ろされる浴室内配管７を配管スペース５に収納すると共に、配管スペース５の下端開口部から引き出される浴室内配管７の配管接続部分を浴室１内の水栓本体８に接続した浴室の配管構造である。【選択図】図１
2008031663.tif 000002
【特許請求の範囲】
【請求項１】
浴室の壁面に設置されるミラーの側縁部に沿って上下方向に延びる飾り縁が配設され、飾り縁の内側には、上下両端がそれぞれ開口し且つ上端開口部が天井面近傍に位置する配管スペースが設けられ、天井裏から浴室内に引き下ろされる浴室内配管を上記配管スペースに収納すると共に、配管スペースの下端開口部から引き出される浴室内配管の配管接続部分を浴室内の水栓本体に接続してなることを特徴とする浴室の配管構造。
【請求項２】
上記飾り縁は、ミラーの側縁部に沿った浴室の壁面部分に取着されるモールベースと、モールベースの表面側の係止部に着脱自在に係止されるモールカバーとからなり、モールベースとモールカバーの間における係止部と干渉しない位置に配管スペースを設けたことを特徴とする請求項１記載の浴室の配管構造。
【請求項３】
上記浴室内配管の配管接続部分と水栓本体との接続位置を水栓本体よりも上方位置に配置したことを特徴とする請求項１又は２記載の浴室の配管構造。
【発明の詳細な説明】
【技術分野】
【０００１】
本発明は、寒冷地に最適な浴室の配管構造に関するものである。
【背景技術】
【０００２】
ユニットバスルームの配管は通常は床下で行なわれるが、寒冷地においては床下が冷えるため、天井裏に配管するシステムが知られている（例えば、特許文献１参照）。
【０００３】
ところが、従来では天井裏から建物躯体と浴室ユニットとの間に浴室外配管スペースを設け、天井裏から浴室外配管スペースに配管を引き下ろし、配管の下端を浴室壁を貫通して浴室内の水栓本体に接続するようにしていた。このため、配管は浴室外配管スペースに設けられるため、寒冷地にあっては凍結防止のための断熱材を配管に巻きつける必要があり、配管の径が大きくなり、これに伴い浴室外の配管スペースが大きくなると共に、配管構造が複雑化してコストが高くつくという問題もある。
【特許文献１】特開平９−１０５２３８号公報
【発明の開示】
【発明が解決しようとする課題】
【０００４】
本発明は上記の従来の問題点に鑑みて発明したものであって、ミラーの側縁部を化粧・保護するための飾り縁を利用して、天井から浴室内に引き下ろされる浴室内配管をカバーできるようにし、これによりコストを削減でき、見栄えが良く、そのうえ浴室外に配管スペースを確保しなくても済む浴室の配管構造を提供することを課題とするものである。
【課題を解決するための手段】
【０００５】
前記課題を解決するために本発明の浴室の配管構造は、浴室１の壁面２に設置されるミラー３の側縁部３ａに沿って上下方向に延びる飾り縁４が配設され、飾り縁４の内側には、上下両端がそれぞれ開口し且つ上端開口部５ａが天井面近傍に位置する配管スペース５が設けられ、天井裏６から浴室１内に引き下ろされる浴室内配管７を上記配管スペース５に収納すると共に、配管スペース５の下端開口部５ｂから引き出される浴室内配管７の配管接続部分７ａを浴室１内の水栓本体８に接続してなることを特徴としている。
【０００６】
このような構成とすることで、ミラー３の側縁部３ａを化粧・保護するための飾り縁４を利用して、天井裏６から浴室１内に引き下ろされる浴室内配管７をカバーできるので、従来のような浴室外に配管スペースを設けたり、寒冷地の場合は浴室外の配管に断熱材を巻きつけたりする必要がなく、そのうえ浴室１外に配管スペースを確保しなくても済むようになる。
【０００７】
また、上記飾り縁４は、ミラー３の側縁部３ａに沿った浴室１の壁面２部分に取着されるモールベース９と、モールベース９の表面側の係止部１２に着脱自在に係止されるモールカバー１０とからなり、モールベース９とモールカバー１０の間における係止部１２と干渉しない位置に配管スペース５を設けるのが好ましく、この場合、配管スペース５内に収納した浴室内配管７に干渉することなく、モールカバー１０をモールベース９に対して係止させることができるので、配管施工作業が容易となる。
【０００８】
また、上記浴室内配管７の配管接続部分７ａと水栓本体８との接続位置を水栓本体８よりも上方位置に配置するのが好ましく、この場合、水栓本体８を開くことにより浴室内配管７内の水抜きが可能になるので、水抜き栓を水栓本体８に付設する必要がなくなり、配管構造を簡素化でき、そのうえ水抜き栓による水栓本体８の外観低下を防止できるようになる。
【発明の効果】
【０００９】
本発明に係る浴室の配管構造は、浴室の壁面に設置されるミラーの飾り縁の内側に、上下両端がそれぞれ開口し且つ上端開口部が天井面近傍に位置する配管スペースを設け、天井裏から浴室内に引き下ろされる浴室内配管を上記配管スペースに収納すると共に、配管スペースの下端開口部から引き出される浴室内配管の配管接続部分を浴室内の水栓本体に接続することにより、ミラーの側縁部を化粧・保護するための飾り縁を利用して、天井から浴室内に引き下ろされる浴室内配管をカバーできるので、コストを削減でき、見栄えが良く、そのうえ浴室外に配管スペースを確保しなくても済むものである。
【発明を実施するための最良の形態】
【００１０】
以下、本発明を添付図面に示す実施形態に基いて説明する。
【００１１】
図1〜図７は本発明の浴室の配管構造の一例の説明図であり、図８は寒冷地における配管施設例を示す概略図である。
【００１２】
図８において、地中埋設管から住宅内に立ち上がる立ち上げ管１３は、脱衣室１４内に設置される給湯器１５に接続されており、給湯器１５からの配管が天井裏６の横引き管１６を介して、浴室１、台所、洗面所などに配管される。浴室１への配管は、浴室１の天井板を貫通する天井貫通金具１７（図３、図４、図７）を介して行なわれる。天井貫通金具１７の下端には浴室内配管７の上端が接続される。浴室内配管７は後述するミラー３の飾り縁４内に設けた配管スペース５を通って天井裏６から浴室１内に引き下ろされていると共に、浴室内配管７の配管接続部分７ａが水栓エルボ１８を介して浴室１内の水栓本体８に接続されている。
【００１３】
浴室１の壁面２に設置されるミラー３の上下両端は、図５に示すように、断面コ字形をした長尺状の取付金具１９を介して浴室１の壁面２に対して固定されている。ミラー３の裏面部分は両面テープ２０（図２）を用いて壁面２に接着されている。ミラー３の上端と天井面と左右の飾り縁４とで囲まれたスペースには、照明器具２１（図１）が配設されている。ミラー３の下端には、浴室カウンター２２が設置され、この浴室カウンター２２の下面側に水栓本体８が設置されている。なお図２中の２３は水栓カバー、２４は水栓本体８に付設される水抜き栓である。
【００１４】
上記ミラー３の側縁部３ａには、図５に示すように、上下方向に延びる飾り縁４が配設されている。飾り縁４の内側には、上下両端がそれぞれ開口し且つ上端開口部５ａが天井面近傍に位置する配管スペース５が設けられている。図５に示す飾り縁４は、ミラー３の側縁部３ａに沿った浴室１の壁面２部分に取着されるモールベース９と、モールベース９の表面側に着脱自在に係止されるモールカバー１０とからなる。図６に示すように、モールベース９の表面側には左右一対の凹状をした係止部１２が突設され、モールカバー１０の裏面側には左右一対の凸状をした係止爪２５が突設されている。モールベース９をネジ２６で浴室１の壁面２に固着した状態で、図６（ａ）の矢印方向にモールカバー１０をモールベース９に対して押し込むことで、図６（ｂ）のようにモールベース９の係止部１２に対してモールカバー１０の係止爪２５をパッチン止めにより嵌合固定できるようになっている。
【００１５】
さらにモールベース９とモールカバー１０との間には、図２に示すように、係止部１２と干渉しない位置に配管スペース５が設けられている。図２の例では左右の係止部１２よりも中央寄りの位置を配管スペース５とし、この配管スペース５に天井裏６から浴室１内に引き下ろされる浴室内配管７を収納している。これにより、本発明のミラー３の飾り縁４は、ミラー３の両側縁部３ａをそれぞれ保護すると共にミラー３の両側縁部３ａの見栄えを良くする機能だけでなく更に加えて浴室内配管７を収納する配管機能をも兼ね備えている。
【００１６】
しかして、ミラー３の側縁部３ａを化粧・保護するための飾り縁４を利用して、天井裏６から浴室１内に引き下ろされる浴室内配管７を収納できるので、浴室１外に配管スペースを確保しなくても済むようになり、コストを削減でき、見栄えも良くなるものである。
【００１７】
しかも天井裏６から浴室１内に配管するので、寒冷地であっても浴室内配管７を断熱材で覆ったりする必要がなく、また断熱材により配管径が大きくなることもないので、結果、飾り縁４内のような狭小な配管スペース５内でも浴室内配管７を余裕を持って収納できるようになり、結果、寒冷地の浴室内配管設備にも最適に使用できるものとなる。
【００１８】
また、浴室内配管７を覆うモールカバー１０を着脱自在とすることで、浴室内配管７の配管施工作業を簡易化でき、施工性が向上する。そのうえ、モールベース９の係止部１２よりも内側に配管スペース５を設けているので、配管スペース５内に収納した浴室内配管７に干渉することなく、モールカバー１０をモールベース９に対してパッチン止めによりワンタッチで嵌合固定できるので、配管施工作業が容易なり且つ施工後のメンテナンスやリフォームも容易に行なうことができる利点もある。
【００１９】
また本例では、上記配管スペース５の上端部は天井面近傍に位置していると共に、図５に示すように、モールベース９とモールカバー１０とがミラー３の上端よりも上方に突出して、天井面に隙間なく当接するようになっており、さらに図４に示すように、天井貫通金具１７をモールベース９とモールカバー１０との間に収納するようにしている。さらにモールカバー１０の上端部分１０ａを、天井貫通金具１７を収納できるように居室側に向かって膨出した幅広の断面形状に形成し、この幅広の上端部分１０ａによって天井貫通金具１７及び、天井貫通金具１７と浴室内配管７との接続部分を、それぞれ、浴室１内から見えないように覆い隠すことができる。なお図５の例では、モールカバー１０の成形性を良くするために、モールカバー１０の幅広の上端部１０ａをモールカバー１０とは別体で構成しているが、勿論、一体に構成されてもよい。一方、図４、図９に示すように、浴室カウンター２２には配管スペース５の下方に連通する配管穴２２ａを穿孔し、モールカバー１０の下端１０ａを配管穴２２ａよりも前側のカウンター上面部分に載置或いは近接配置し、配管スペース５内の浴室内配管７を配管穴２２ａから浴室カウンター２２の下方に引き出して、浴室内配管７の配管接続部分７ａを水栓本体８に接続するようにしている。このように、モールカバー１０の下端１０ａをカウンター上面部分に載置（或いは近接配置）することで、モールカバー１０の下端１０ａと浴室カウンター２２との隙間から浴室内配管７が見えないようにでき、浴室内配管７の外観上の納まりが一層良好となる。
【００２０】
さらに上記配管スペース５の下端部は、図５に示すように、ミラー３の下端側の取付金具１９と面一状に連続するように配置されている。これによりミラー３の下端と配管スペース５の下端とが面一状に揃うことで見栄えが良好となる。また、配管スペース５の下端開口部５ｂに、図１０に示すモールキャップ１１を装着し、配管スペース５に配管された浴室内配管７をモールキャップ１１に設けた配管穴（図示せず）から引き出すようにしてもよい。なお、モールキャップ１１は省略可能である。
【００２１】
また本例では、図１に示すように、ミラー３の左右に設置される飾り縁４内にそれぞれ配管スペース５を設け、片方の配管スペース５に給水用の浴室内配管７を配管し、もう片方の配管スペース５に給湯用の浴室内配管７を配管できるようにしている。これにより、配管スペース５の穴径を１本の浴室内配管７を収納できる程度にコンパクト化でき、飾り縁４が大型化せず、ミラー３の外観が損なわれないようにできる。勿論これに限らず、ミラー３の左右いずれか一方の飾り縁４のみに配管スペース５を設け、１本の配管スペース５に２本の給水・給湯用の浴室内配管７をまとめて収納することも可能である。
【００２２】
ここで、浴室１側の天井裏６の横引き管１６内及び浴室内配管７内の水抜きは、図４、図９に示すように、水栓本体８に付設した水抜き栓２４によって行なわれる。なお水抜き栓２４を用いずに、水抜きを行なう方法として、水栓本体８よりも上方位置で浴室内配管７の配管接続部分７ａと水栓エルボ１８とを接続させるようにする。つまり浴室内配管７と水栓本体８との接続位置を水栓本体８よりも上方位置に配置することにより、水栓本体８を開くことにより浴室内配管７内及び浴室１側の天井裏６の横引き管１６内の水抜きが可能になるので、水抜き栓２４を水栓本体８に付設する必要がなくなり、配管構造を簡素化でき、そのうえ水抜き栓２４による水栓本体８の外観低下を防止できるようとなり、結果、コストの削減及び見栄えの向上をより一層図ることができる。なお、脱衣室１４側の天井裏６の横引き管１６内及び立ち上げ管１３内の水抜きは、給湯器１５に付設した水抜き栓（図示せず）によって行なわれる。
【００２３】
また、前記実施形態では、水栓本体８と浴室内配管７との接続を浴室カウンター２２の下面側で行なうようにしたが、これに限らず、浴室カウンター２２の横のスペースで行なうようにしてもよい。
【図面の簡単な説明】
【００２４】
【図１】本発明の一実施形態の浴室内配管の配管状態を説明する正面図である。
【図２】図１のＢーＢ線に沿う拡大した平面断面図である。
【図３】図１のＡ部の拡大図である。
【図４】図１の浴室内配管の配管状態を説明する側面断面図である。
【図５】同上のミラー及び飾り縁を示す斜視図である。
【図６】（ａ）（ｂ）は同上のモールカバーをモールベースに係止させる場合を説明する平面図である。
【図７】同上の天井貫通金具と浴室内配管との接続部分の斜視図である。
【図８】同上の寒冷地における配管施設例を説明する概略図である。
【図９】同上の水栓本体に水抜き栓を取り付ける場合の一例を示す斜視図である。
【図１０】同上のモールカバーの下端にモールキャップを取り付ける場合の説明図である。
【符号の説明】
【００２５】
１  浴室
２  壁面
３  ミラー
４  飾り縁
５  配管スペース
５ａ  上端開口部
５ｂ  下端開口部
６  天井裏
７  浴室内配管
７ａ  配管接続部分
８  水栓本体
９  モールベース
１０  モールカバー
１２  係止部 
【図１】
2008031663.tif 000003
【図２】
2008031663.tif 000004
【図３】
2008031663.tif 000005
【図４】
2008031663.tif 000006
【図５】
2008031663.tif 000007
【図６】
2008031663.tif 000008
【図７】
2008031663.tif 000009
【図８】
2008031663.tif 000010
【図９】
2008031663.tif 000011
【図１０】
2008031663.tif 000012